(57)【要約】【課題】高速表示と十分な表示品位を両立することができる電子回路の駆動方法、電子回路、電気光学装置、電気光学装置の駆動方法及び電子機器を提供する。【解決手段】保持キャパシタＣ１は、画像データの階調に応じたデータ電流Ｉｄａｔａが供給され、そのデータ電流Ｉｄａｔａに応じた電荷量を保持する。このとき、画像データが高階調の場合には、その階調に応じたデータ電流Ｉｄａｔａを保持キャパシタＣ１に供給する。反対に低階調の場合には、低階調に応じたデータ電流Ｉｄａｔａではなく、予め定めた高階調のデータ電流Ｉｄａｔａを保持キャパシタＣ１に供給する。そして、低階調の場合には、そのデータ電流Ｉｄａｔａに応じた駆動電流で発光している有機ＥＬ素子の発光期間を通常の発光期間より短くする。高階調のデータ電流Ｉｄａｔａを保持キャパシタＣ１に供給しても、低階調の表示が可能となる。【選択図】        図３
2004184489.tif 000002
【特許請求の範囲】
【請求項１】
第１のトランジスタと、
その第１のトランジスタを介してデータ線から供給される多値のデータ信号に応じた電荷量を保持する容量素子と、
前記容量素子に保持された電荷量に基づいて導通状態が制御され、その導通状態に相対した駆動量を電子素子に供給する第２のトランジスタと、
前記第２のトランジスタの導通状態に基づく駆動量の電子素子への供給及び遮断を行う第３のトランジスタと、
を備えた電子回路の駆動方法であって、
前記第３のトランジスタによる遮断タイミングを変更して、前記第２のトランジスタの導通状態に相対した駆動量の前記電子素子への供給期間を変更することを特徴とする電子回路の駆動方法。
【請求項２】
請求項１に記載の電子回路の駆動方法において、
前記第３のトランジスタによる遮断タイミングの変更は、前記予め定めた値の多値のデータ信号に対して予め定められた供給期間より短くすることを特徴とする電子回路の駆動方法。
【請求項３】
第１のトランジスタと、
前記第１のトランジスタを介してデータ線から供給される多値のデータ信号に応じた電荷量を保持する第１の容量素子と、
前記第１の容量素子に保持された電荷量に基づいて導通状態が制御され、その導通状態に相対した駆動量を電子素子に供給する第２のトランジスタと、
前記駆動量の電子素子への供給または遮断を行う第３のトランジスタと
を含む電子回路であって、
前記第３のトランジスタのゲートに、同第３のトランジスタの導通または非導通のいずれかを保持するための第２の容量素子と、
前記第２の容量素子に前記第３のトランジスタを導通または非導通のいずれかに保持させるための制御信号を供給するための第４のトランジスタと
を備えたことを特徴とする電子回路。
【請求項４】
請求項３に記載の電子回路において、
前記制御信号は、前記第４のトランジスタを介して前記データ線から供給されることを特徴とする電子回路。
【請求項５】
複数の走査線と、複数のデータ線と、複数の単位回路とを含む電気光学装置であって、
前記複数の単位回路の各々に、前記複数のデータ線を介して多値のデータ信号を出力するデータ信号生成回路と、
前記複数の単位回路の各々に、前記多値のデータ信号に基づいて動作する同単位回路の動作の開始と停止を制御する制御信号を出力する制御信号生成回路と
を備え、
前記単位回路には、前記制御信号生成回路からの制御信号を保持する保持手段を備えたことを特徴とする電気光学装置。
【請求項６】
請求項５に記載の電気光学装置において、
前記制御信号は、前記多値のデータ信号と同一のデータ線を介して供給されることを特徴とする電気光学装置。
【請求項７】
請求項５に記載の電気光学装置において、
前記制御信号は、前記多値のデータ信号が供給されるデータ線と異なる信号線を介して供給されることを特徴とする電気光学装置。
【請求項８】
請求項５に記載の電気光学装置において、
前記単位回路は、
前記走査線が選択されたとき導通する第１のトランジスタと、
前記第１のトランジスタを介してデータ線から供給される多値のデータ信号に応じた電荷量を保持する第１の容量素子と、
前記容量素子に保持された電荷量に基づいて導通状態が制御され、その導通状態に相対した駆動量を電子素子に供給する第２のトランジスタと、
前記第２のトランジスタの導通状態に基づく駆動量の電子素子への供給または遮断を行う第３のトランジスタと
前記第３のトランジスタのゲートに、同第３のトランジスタの導通または非導通のいずれかを保持するための第２の容量素子と、
前記第２の容量素子に前記第３のトランジスタを導通または非導通のいずれかに保持させるための制御信号を供給するための第４のトランジスタと
からなることを特徴とする電気光学装置。
【請求項９】
請求項８に記載の電気光学装置において、
電子素子は、ＥＬ素子であることを特徴とする電気光学装置。
【請求項１０】
請求項９に記載の電気光学装置において、
前記ＥＬ素子は、発光層が有機材料で構成されていることを特徴とする電気光学装置。
【請求項１１】
複数の走査線と、複数のデータ線と、複数の単位回路とを含み、
複数の走査線を順番に選択し、その選択された走査線上の各単位回路に対してそれぞれデータ線を介してデータ信号生成回路から多値のデータ信号をそれぞれ供給するようにした電気光学装置の制御方法であって、
前記走査線の選択終了から次の新たな走査線を選択する際、それぞれ一定の期間を開けて選択し、その各期間に、各走査線上の各単位回路に対して動作の開始または停止を行なうよう制御するようにしたことを特徴とする電気光学装置の制御方法。
【請求項１２】
請求項５乃至１０のいずれか一つに記載した電気光学装置を実装した電子機器。
【発明の詳細な説明】
【０００１】
【発明の属する技術分野】
本発明は、電子回路の駆動方法、電子回路、電気光学装置、電気光学装置の制御方法及び電子機器に関するものである。
【０００２】
【従来の技術】
近年、電気光学装置としての表示装置では、有機ＥＬ素子を用いた電気光学装置が、注目されている。有機ＥＬ素子は低電力で駆動することができる自発光素子であるので、低消費電力、高視野角、高コントラスト比の電気光学装置を実現することができるものと期待されている。この種の有機ＥＬ素子を用いた電気光学装置には、有機ＥＬ素子の輝度を制御するための画素回路が、各有機ＥＬ素子に対して、それぞれ設けられている。
【０００３】
前記電気光学装置には、前記各画素回路に対して、輝度階調に応じたデータ電流を生成して供給するためのデータ線駆動回路が設けられている。前記データ線駆動回路は、高階調の輝度の場合には、大きな電流のデータ電流の生成を、低階調の輝度の場合には、微小電流のデータ電流を生成し、データ線を介して画素回路に供給する。
【０００４】
また、前記電気光学装置には前記有機ＥＬ素子の中間調を制御するための駆動方式としてアナログ階調法（例えば、特許文献１）とデジタル階調法（例えば、特許文献２）がある。そのアナログ階調法の一つとして有機ＥＬ素子に駆動電流を供給する駆動トランジスタのゲート・ソース間を当該トランジスタの閾値電圧にする。そして、その状態からデータ電流に応じた電圧を駆動トランジスタに印加して駆動する方式がある。
【０００５】
前記方式は、有機ＥＬ素子の輝度階調に応じてデータ線駆動回路からデータ線を介して、画素回路に供給されるデータ電流に応じた電荷量を保持キャパシタに保持させる。そして、保持キャパシタに保持された電荷量に応じた電圧をゲート端子に印加することによって、駆動用トラジスタの導通状態を制御して、有機ＥＬ素子に供給する電流量を制御する方式である。
【０００６】
【特許文献１】
国際公開第ＷＯ９８／３６４０号のパンフレット
【特許文献２】
特開２００２−１７５０４７号公報
【０００７】
【発明が解決しようとする課題】
ところで、大型の表示領域を有している電気光学装置等の場合、データ線が長くなる。その結果、低階調を表示するための微小電流では配線容量等の影響による表示時間の遅延と表示精度の劣化が顕著である。これは、動画特性の向上を図る上で妨げとなる。
【０００８】
そこで、デジタル階調法の一つとして、１回の有機ＥＬ素子の発光時間である１フレームを、複数のサブフレームに分割して階調を表現するための時分割階調法が考えられる。しかし、前記時分割階調において、高階調を表現する場合では、サブフレームの数が増える。そのためトランジスタの周波数が上がり移動度の影響等により、高階調の表示にちらつきが多かった。これは、液晶ディスプレイでも同様であって、動画特性の向上を図る上で問題であった。
【０００９】
本発明は、上記問題点を解消するためになされたものである。その目的は、高速表示と十分な表示品位を両立することができ、動画特性に優れた電子回路の駆動方法、電子回路、電気光学装置、電気光学装置の駆動方法及び電子機器を提供することにある。
【００１０】
【課題を解決するための手段】
本発明における電子回路の駆動方法は、第１のトランジスタと、その第１のトランジスタを介してデータ線から供給される多値のデータ信号に応じた電荷量を保持する容量素子と、前記容量素子に保持された電荷量に基づいて導通状態が制御され、その導通状態に相対した駆動量を電子素子に供給する第２のトランジスタと、前記第２のトランジスタの導通状態に基づく駆動量の電子素子への供給及び遮断を行う第３のトランジスタとを備えた電子回路の駆動方法であって、前記第３のトランジスタによる遮断タイミングを変更して、前記第２のトランジスタの導通状態に相対した駆動量の前記電子素子への供給期間を変更する。
なお、本発明において、上記の駆動量とは、例えば、電子素子に印加する電圧値あるいは供給する電流量または電流値を意味している。
【００１１】
これによれば、前記第３のトランジスタによる遮断タイミングを変更して、前記第２のトランジスタの導通状態に相対した駆動量の前記電子素子への供給期間を変更するようにしたので、例えば小さな値の駆動量の電子素子に供給する際、大きな値の駆動量を短い期間で電子素子に供給すれば等価にすることができる。その結果、データ線の配線容量等の影響による電子素子の動作遅れは低減される。
【００１２】
この電子回路の駆動方法において、前記第３のトランジスタによる遮断タイミングの変更は、前記予め定めた値の多値のデータ信号に対して予め定められた供給期間より短くする。
【００１３】
これによれば、例えば、予め定めた値以下の多値のデータ信号にて電子素子に駆動量を供給制御する場合には、その小さな値の多値のデータ信号ではなく、大きな値の多値のデータ信号を第１の容量素子に供給する。これとともに、第３のトランジスタを介して電子素子に供給する駆動量の供給期間を短くする。その結果、大きな値の多値のデータ信号に応じた駆動量を電子素子に供給しても、供給期間を短くしたので、予め定めた値以下の多値のデータ信号に応じた駆動量を電子素子に供給したのと等価にすることができる。その結果、データ線の配線容量等の影響による電子素子の動作遅れは低減される。
【００１４】
本発明における電子回路は、第１のトランジスタと、前記第１のトランジスタを介してデータ線から供給される多値のデータ信号に応じた電荷量を保持する第１の容量素子と、前記第１の容量素子に保持された電荷量に基づいて導通状態が制御され、その導通状態に相対した駆動量を電子素子に供給する第２のトランジスタと、前記駆動量の電子素子への供給または遮断を行う第３のトランジスタとを含む電子回路であって、前記第３のトランジスタのゲートに、同第３のトランジスタの導通または非導通のいずれかを保持するための第２の容量素子と、前記第２の容量素子に前記第３のトランジスタを導通または非導通のいずれかに保持させるための制御信号を供給するための第４のトランジスタとを備えた。
【００１５】
これによれば、例えば予め定めた値以下の多値のデータ信号にて電子素子に駆動量を供給制御する場合には、その小さな値の多値のデータ信号ではなく、大きな値の多値のデータ信号が第１のトランジスタを介して第１の容量素子に供給される。第２のトランジスタは、第１の容量素子に保持された電荷量に基づいて導通状態が制御されその導通状態に相対した駆動量を電子素子に供給する。一方、第４のトランジスタを介して制御信号を第２の容量素子に供給する。第３のトランジスタは第２の容量素子に保持された制御信号に基づいて非導通となり、第２のトランジスタによる電子素子への駆動量の供給を遮断する。従って、第３のトランジスタを非導通するタイミングを速くすることによって、予め定めた値以下の多値のデータ信号に応じた駆動量を電子素子に供給したのと等価にすることができる。その結果、データ線の配線容量等の影響による電子素子の動作遅れは低減される。
【００１６】
この電子回路において、前記制御信号は、前記第４のトランジスタを介して前記データ線から供給される。
これによれば、データ線はデータ信号と制御信号の２種類の信号を供給する。その結果、制御信号を供給するための専用の配線は不要になる。
【００１７】
本発明における電気光学装置は、複数の走査線と、複数のデータ線と、複数の単位回路とを含む電気光学装置であって、前記複数の単位回路の各々に、前記複数のデータ線を介して多値のデータ信号を出力するデータ信号生成回路と、前記複数の単位回路の各々に、前記多値のデータ信号に基づいて動作する同単位回路の動作の開始と停止を制御する制御信号を出力する制御信号生成回路とを備え、前記単位回路には、前記制御信号生成回路からの制御信号を保持する保持手段を備えた。
【００１８】
これによれば、例えば予め定めた値以下の多値のデータ信号にて電子素子に駆動量を供給制御する場合には、その小さな値の多値のデータ信号ではなく、大きな値の多値のデータ信号がデータ信号生成回路にて生成される。そして、生成された大きな値の多値のデータ信号は、単位回路に供給される。一方、制御信号生成回路は、前記多値のデータ信号に基づいて単位回路の動作の開始と停止を制御する制御信号を同単位回路に供給する。そして、単位回路に設けた保持手段により、制御信号生成回路からの制御信号を保持する。従って、単位回路の動作期間を短くする制御信号を制御信号生成回路から出力することによって、予め定めた値以下の多値のデータ信号に応じて単位回路を動作させたのと等価にすることができる。その結果、データ線の配線容量等の影響による単位回路の動作遅れは低減されるとともに、動画特性の向上が図れる。
【００１９】
この電気光学装置において、前記制御信号は、前記多値のデータ信号と同一のデータ線を介して供給される。
これによれば、データ線はデータ信号と制御信号の２種類の信号を供給する。その結果、制御信号を供給するための専用の配線は不要になる。
【００２０】
この電気光学装置において、前記制御信号は、前記多値のデータ信号が供給されるデータ線と異なる信号線を介して供給される。
これによれば、制御信号と多値のデータ信号はそれぞれ別々の線で単位回路に供給される。
【００２１】
この電気光学装置において、前記単位回路は、前記走査線が選択されたとき導通する第１のトランジスタと、前記第１のトランジスタを介してデータ線から供給される多値のデータ信号に応じた電荷量を保持する第１の容量素子と、前記容量素子に保持された電荷量に基づいて導通状態が制御され、その導通状態に相対した駆動量を電子素子に供給する第２のトランジスタと、前記第２のトランジスタの導通状態に基づく駆動量の電子素子への供給または遮断を行う第３のトランジスタと、前記第３のトランジスタのゲートに、同第３のトランジスタの導通または非導通のいずれかを保持するための第２の容量素子と、前記第２の容量素子に前記第３のトランジスタを導通または非導通のいずれかに保持させるための制御信号を供給するための第４のトランジスタとからなる。
【００２２】
これによれば、例えば予め定めた値以下の多値のデータ信号にて電子素子に駆動量を供給制御する場合には、その小さな値の多値のデータ信号ではなく、大きな値の多値のデータ信号が第１のトランジスタを介して第１の容量素子に供給される。第２のトランジスタは、第１の容量素子に保持された電荷量に基づいて導通状態が制御されその導通状態に相対した駆動量を電子素子に供給する。一方、第４のトランジスタを介して制御信号を第２の容量素子に供給する。第３のトランジスタは第２の容量素子に保持された制御信号に基づいて非導通となり、第２のトランジスタによる電子素子への駆動量の供給を遮断する。従って、第３のトランジスタを非導通するタイミングを速くすることによって、予め定めた値以下の多値のデータ信号に応じた駆動量を電子素子に供給したのと等価にすることができる。その結果、データ線の配線容量等の影響による電子素子の動作遅れは低減されるとともに、動画特性の向上が図れる。
【００２３】
この電気光学装置において、電子素子はＥＬ素子である。
これによれば、ＥＬ素子は第２のトランジスタの導通状態に相対して発光し、第３のトランジスタの非導通で発光を停止する。
【００２４】
この電気光学装置において、前記ＥＬ素子は発光層が有機材料で構成されている。
これによれば、ＥＬ素子は発光層が有機材料で形成された有機ＥＬ素子である。
【００２５】
本発明における電気光学装置の制御方法は、複数の走査線と、複数のデータ線と、複数の単位回路とを含み、複数の走査線を順番に選択し、その選択された走査線上の各単位回路に対してそれぞれデータ線を介してデータ信号生成回路から多値のデータ信号をそれぞれ供給するようにした電気光学装置の制御方法であって、前記走査線の選択終了から次の新たな走査線を選択する際、それぞれ一定の期間を開けて選択し、その各期間に、各走査線上の各単位回路に対して動作の開始または停止を行なうよう制御するようにした。
【００２６】
これによれば、先の走査線の選択終了と次の新たな走査線を選択を開始する間において、各走査線上の各単位回路に対して動作の開始または停止を行なうよう制御するようにしたので、例えば小さな値の駆動量で単位回路を駆動する際、大きな値の駆動量を短い期間だけ単位回路を駆動させて等価にすることができる。その結果、データ線の配線容量等の影響による単位回路の動作遅れは低減されるとともに、動画特性の向上が図れる。
【００２７】
本発明における電子機器は、上記に記載した電気光学装置を実装した。
これによれば、高速表示と、十分な表示品位を両立することができ、動画特性に優れた表示を可能にする。
【００２８】
【発明の実施の形態】
（第１実施形態）
以下、本発明を具体化した第１実施形態を図１〜図４に従って説明する。
【００２９】
図１は、電気光学装置としての有機ＥＬディスプレイ１０の回路構成を示すブロック回路図を示す。図２は、表示パネル部とデータ線駆動回路の内部回路構成を示すブロック回路図を示す。図３は、画素回路の内部回路構成を示す回路図を示す。
【００３０】
図１に示すように、有機ＥＬディスプレイ１０は、表示パネル部１１、データ線駆動回路１２、走査線駆動回路１３、発振回路１４、制御回路１５、メモリ回路１６及び電源回路１７を備えている。
【００３１】
有機ＥＬディスプレイ１０の表示パネル部１１及び各回路１２〜１７は、それぞれが独立した電子部品によって構成されていてもよい。例えば、各回路１２〜１７が１チップの半導体集積回路によって構成されていてもよい。また、表示パネル部１１及び各回路１２〜１７の全部もしくは一部が一体となった電子部品として構成されていてもよい。例えば、表示パネル部１１に、データ線駆動回路１２と走査線駆動回路１３とが一体的に形成されてもよい。各回路１２〜１７の全部もしくは一部がプログラマブルなＩＣチップで構成され、その機能がＩＣチップに書き込まれたプログラムによりソフトウェア的に実現されてもよい。
【００３２】
表示パネル部１１は、図２に示すように、列方向に沿ってのびる複数のデータ線Ｘ１〜Ｘｍ（ｍは整数）と、行方向に沿ってのびる複数の走査線Ｙ１〜Ｙｎ（ｎは整数）との交差部に対応する位置に配列された複数の単位回路または電子回路としての画素回路２０を有している。つまり、各画素回路２０は、その列方向に沿ってのびる複数のデータ線Ｘ１〜Ｘｍと、行方向に沿ってのびる複数の走査線Ｙ１〜Ｙｎとの間にそれぞれ接続されることにより、各画素回路２０はマトリクス状に配列されている。各画素回路２０には発光層が有機材料で構成された電子素子としての有機ＥＬ素子２１（図３参照）を有している。尚、画素回路２０内に形成される後記するトランジスタは、通常は薄膜トランジスタ（ＴＦＴ）で構成している。
【００３３】
次に、前記画素回路２０の回路構成について図３に従って説明する。尚、説明の便宜上、ｍ番目のデータ線Ｘｍとｎ番目の走査線Ｙｎとの交差部に配置され、両データ線Ｘｍと走査線Ｙｎとの間に接続された画素回路２０について説明する。
【００３４】
図３において、画素回路２０は、駆動トランジスタＱｄ、第１及び第２スイッチングトランジスタＱｓｗ１、Ｑｓｗ２、開始トランジスタＱｓｔ、及び、保持キャパシタＣ１を有している。さらに、画素回路２０は、階調制御用トランジスタＱｃｔ及び階調制御用キャパシタＣ２を有している。駆動トランジスタＱｄ、第１及び第２スイッチングトランジスタＱｓｗ１，Ｑｓｗ２、開始トランジスタＱｓｔ及び階調制御用トランジスタＱｃｔは，ＰチャネルＦＥＴより構成されている。そして、本実施形態では、第１及び第２スイッチングトランジスタＱｓｗ１、Ｑｓｗ２が第１のトランジスタを、駆動トランジスタＱｄが第２のトランジスタを、開始トランジスタＱｓｔが第３のトランジスタを、階調制御用トランジスタＱｃｔが第４のトランジスタをそれぞれ構成している。又、保持キャパシタＣ１が第１の容量素子を、階調制御用キャパシタＣ２が保持手段又は第２の容量素子をそれぞれ構成している。
【００３５】
駆動トランジスタＱｄは、ドレインが前記有機ＥＬ素子２１の陽極に接続され、ソースが開始トランジスタＱｓｔを介して電源線Ｌ１に接続されている。電源線Ｌ１には、前記有機ＥＬ素子２１を駆動させるための駆動電圧Ｖｏｅｌが供給されている。前記駆動トランジスタＱｄのゲートとソースの間には、保持キャパシタＣ１が接続されている。
【００３６】
また、駆動トランジスタＱｄのゲートとドレインの間には、前記第１スイッチングトランジスタＱｓｗ１が接続されている。駆動トランジスタＱｄのソースには、第２スイッチングトランジスタＱｓｗ２を介してデータ線Ｘｍに接続されている。そして、そのデータ線Ｘｍは、データ線駆動回路１２の単一ライン駆動回路３０に接続されている。第１及び第２スイッチングトランジスタＱｓｗ１，Ｑｓｗ２のゲートには、走査線Ｙｎを構成する第１副走査線Ｙｎ１が接続されている。そして、第１及び第２スイッチングトランジスタＱｓｗ１，Ｑｓｗ２は、第１副走査線Ｙｎ１に出力される第１走査信号ＳＣｎ１によってオン・オフされるようになっている。
【００３７】
さらに、開始トランジスタＱｓｔのゲートは、階調制御用トランジスタＱｃｔを介して前記データ線Ｘｍに接続されている。階調制御用トランジスタＱｃｔのゲートには、走査線Ｙｎを構成する第２副走査線Ｙｎ２が接続されている。そして、階調制御用トランジスタＱｃｔは、第２副走査線Ｙｎ２に出力される第２走査信号ＳＣｎ２によってオン・オフされるようになっている。また、開始トランジスタＱｓｔのゲートとソースの間には、階調制御用キャパシタＣ２が接続されている。
【００３８】
第１及び第２スイッチングトランジスタＱｓｗ１，Ｑｓｗ２がＬレベル（ロウレベル）の第１走査信号ＳＣｎ１に応答してオフ状態からオンするとき、データ線Ｘｍから後記するデータ電流Ｉｄａｔａが保持キャパシタＣ１に供給されるようになっている。そして、保持キャパシタＣ１は、データ電流Ｉｄａｔａに基づく電荷量となり、駆動トランジスタＱｄのゲートにはデータ電流Ｉｄａｔａに応じた電圧が印加される。
【００３９】
又、階調制御用トランジスタＱｃｔがＬレベルの第２走査信号ＳＣｎ２に応答してオフ状態からオンするとき、データ線Ｘｍから後記する制御電圧Ｘｇｐが階調制御用キャパシタＣ２に供給されるようになっている。データ線Ｘｍからの制御電圧Ｘｇｐは、前記開始トランジスタＱｓｔをオン・オフさせるための電圧信号であって、開始トランジスタＱｓｔをオンさせる場合には電圧がＬレベル、開始トランジスタＱｓｔをオフさせる場合には電圧がＨレベル（ハイレベル）の電圧信号である。
【００４０】
従って、階調制御用トランジスタＱｃｔがオンしてデータ線ＸｍからＬレベルの制御電圧Ｘｇｐが階調制御用キャパシタＣ２に印加されると、開始トランジスタＱｓｔはオンされる。Ｌレベルの制御電圧Ｘｇｐが階調制御用キャパシタＣ２に印加された後に、階調制御用トランジスタＱｃｔがオフされても、階調制御用キャパシタＣ２にＬレベルの制御電圧Ｘｇｐが保持されているため開始トランジスタＱｓｔはオン状態を保持する。
【００４１】
一方、階調制御用トランジスタＱｃｔがオンしてデータ線ＸｍからＨレベルの制御電圧Ｘｇｐが階調制御用キャパシタＣ２に印加されると、開始トランジスタＱｓｔはオフされる。Ｈレベルの制御電圧Ｘｇｐが階調制御用キャパシタＣ２に印加された後に、階調制御用トランジスタＱｃｔがオフされても、階調制御用キャパシタＣ２にＨレベルの制御電圧Ｘｇｐが保持されているため開始トランジスタＱｓｔはオフ状態を保持する。
【００４２】
つまり、駆動トランジスタＱｄのゲートにはデータ電流Ｉｄａｔａに応じた電圧が印加された状態で、Ｌレベルの制御電圧Ｘｇｐに基づいて開始トランジスタＱｓｔをオンさせる。これによって、駆動トランジスタＱｄに駆動電圧Ｖｏｅｌが印加されて、同駆動トランジスタＱｄはデータ電流Ｉｄａｔａに応じた電流を有機ＥＬ素子２１に供給する。その結果、有機ＥＬ素子２１はデータ電流Ｉｄａｔａに応じた輝度で発光する。
【００４３】
また、有機ＥＬ素子２１がデータ電流Ｉｄａｔａに応じた輝度で発光している状態で、Ｈレベルの制御電圧Ｘｇｐに基づいて開始トランジスタＱｓｔをオフさせる。これによって、駆動トランジスタＱｄへの駆動電圧Ｖｏｅｌの供給が遮断されて、同駆動トランジスタＱｄはオフされる。その結果、データ電流Ｉｄａｔａに応じた電流の供給が遮断され、有機ＥＬ素子２１は発光を停止する。
【００４４】
データ線駆動回路１２は、前記各データ線Ｘ１〜Ｘｍに対して単一ライン駆動回路３０を備えている。各単一ライン駆動回路３０は、各データ線Ｘ１〜Ｘｍを介してそれぞれ対応する列方向の画素回路２０にそれぞれの前記データ電流Ｉｄａｔａ及び制御電圧Ｘｇｐを供給する。各単一ライン駆動回路３０は、図３に示すように、データ信号生成回路としてのデータ電流生成回路３０ａと制御信号生成回路としての制御電圧生成回路３０ｂを備えている。データ電流生成回路３０ａは、第１スイッチＱ１１を介してそれぞれ対応する各データ線Ｘ１〜Ｘｍに接続された画素回路２０にそれぞれのデータ電流Ｉｄａｔａを供給する。尚、データ電流生成回路３０ａが生成するデータ電流Ｉｄａｔａは多値であって、本実施形態では、６４通りの電流値が生成されるようになっている。
【００４５】
制御電圧生成回路３０ｂは、第２スイッチＱ１２を介してそれぞれ対応する各データ線Ｘ１〜Ｘｍに接続された画素回路２０に前記Ｈレベル又はＬレベルの制御電圧Ｘｇｐを供給する。制御電圧生成回路３０ｂは、Ｈレベルの制御電圧ＸｇｐとＬレベルの制御電圧Ｘｇｐのいずれを生成し出力するかは、後記する制御回路１５のデータ線制御信号ＣＴＤによって制御されるようになっている。
【００４６】
第１スイッチＱ１１は、ＰチャネルＦＥＴより構成され、第１のゲート信号Ｇ１によってオン・オフされる。第２スイッチＱ１２は、ＰチャネルＦＥＴより構成され、第２のゲート信号Ｇ２によってオン・オフされる。第１スイッチＱ１１と第２スイッチＱ１２は、いずれか一方がオンしている時、他方は必ずオフするように制御される。
【００４７】
そして、本実施形態では、第１スイッチＱ１１は、前記走査線Ｙ１〜Ｙｎを構成する第１副走査線Ｙ１１〜Ｙｎ１にＬレベルの第１走査信号ＳＣｎ１〜ＳＣｎ１が出力されている間、Ｌレベルの第１のゲート信号Ｇ１によってオンされる。このとき、第２スイッチＱ１２はオフしている。従って、Ｌレベルの第１走査信号ＳＣｎ１〜ＳＣｎ１が出力されている間、そのとき選択された走査線Ｙ１〜Ｙｎの各画素回路２０にはデータ線Ｘ１〜Ｘｍを介して対応するデータ電流Ｉｄａｔａが供給される。
【００４８】
一方、第２スイッチＱ１２は、前記走査線Ｙ１〜Ｙｎを構成する第２副走査線Ｙ１２〜Ｙｎ２にＬレベルの第２走査信号ＳＣｎ２〜ＳＣｎ２が出力されている間、Ｌレベルの第２のゲート信号Ｇ２によってオンされる。このとき、第１スイッチＱ１１はオフしている。従って、Ｌレベルの第２走査信号ＳＣｎ２〜ＳＣｎ２が出力されている間、そのとき選択された走査線Ｙ１〜Ｙｎの各画素回路２０にはデータ線Ｘ１〜Ｘｍを介して制御電圧Ｘｇｐが供給される。
【００４９】
走査線駆動回路１３は、前記複数の走査線Ｙ１〜Ｙｎの中の１本を選択駆動して１行分の画素回路群を選択する。各走査線Ｙ１〜Ｙｎは、それぞれ第１副走査線Ｙ１１〜Ｙｎ１及び第２副走査線Ｙ１２〜Ｙｎ２とから構成されている。そして、走査線駆動回路１３は、第１副走査線Ｙ１１〜Ｙｎ１を介して画素回路２０に第１走査信号ＳＣ１１〜ＳＣｎ１をそれぞれ供給する。詳述すると、図５に示すように、走査線駆動回路１３は、走査線Ｙ１〜Ｙｎに対して順番にＬレベルの第１走査信号ＳＣ１１〜ＳＣｎ１を期間Ｔａだけ出力させる。さらに、走査線駆動回路１３は、１つの走査線を選択した後、次の走査線を選択するためのＬレベルの第１走査信号を、予め定めた期間Ｔｂが経過した後に出力する。従って、走査線Ｙ１〜Ｙｎの選択動作は、１つの走査線が期間Ｔａ選択され、選択終了して期間Ｔｂ経過すると次の走査線が選択される。
【００５０】
さらに、走査線駆動回路１３は、第２副走査線Ｙ１２〜Ｙｎ２を介し画素回路２０に第２走査信号ＳＣ１２〜ＳＣｎ２を供給する。走査線駆動回路１３は、各第２走査信号ＳＣ１２〜ＳＣｎ２を出力するタイミングは、前記各期間Ｔｂであって、それぞれその期間Ｔｂの予め割り当てられた期間に出力される。つまり、前記期間Ｔａの間において、全ての第２副走査線Ｙ１２〜Ｙｎ２の第２走査信号ＳＣ１２〜ＳＣｎ２が互いに重なることなく予め定めた順序で出力されるようになっている。
【００５１】
予め定めた順序は、図５で示す各期間Ｔｂで異なるようにしている。本実施例では、選択を終了した直後の第２走査信号（最初に出力される第２走査信号）は、その選択を終了した走査線を構成する第２副走査線に出力する第２走査信号となるようにしている。これは、データ電流Ｉｄａｔａを供給した後に直ちに発光動作を開始させるためにＬレベルの制御電圧Ｘｇｐを供給するためである。また、次に選択される走査線を選択する直前の第２走査信号（最後に出力される第２走査信号）は、その次に選択される走査線を構成する第２副走査線に出力される第２走査信号となるようにしている。これは、新たなデータ電流Ｉｄａｔａを供給する前に、一旦発光動作を終了させるためにＨレベルの制御電圧Ｘｇｐを供給するためである。
【００５２】
そして、最初と最後に出力する走査線（第２副走査線）の第２走査信号が決まると、その間において順番に第２副走査線が選択されその選択された第２副走査線に第２走査信号が出力される。ちなみに、第１走査信号ＳＣ２１と第１走査信号ＳＣ３１との間の期間Ｔｂは、第２副走査線Ｙ２２の第２走査信号ＳＣ２２→第２副走査線Ｙ１２の第２走査信号ＳＣ１２→第２副走査線Ｙｎ２の第２走査信号ＳＣｎ２→…………→第２副走査線Ｙ５２の第２走査信号ＳＣ５２→第２副走査線Ｙ４２の第２走査信号ＳＣ４２→第２副走査線Ｙ３２の第２走査信号ＳＣ３２となる。
【００５３】
発振回路１４は、基準動作信号を有機ＥＬディスプレイ１０の他の構成要素に供給する。メモリ回路１６は、コンピュータ１８から供給される画像データを記憶する。電源回路１７は、有機ＥＬディスプレイ１０の各構成要素の駆動電源を供給する。
【００５４】
制御回路１５は、表示パネル部１１及び各回路１２〜１４、１６、１７を統括制御する。制御回路１５は、表示パネル部１１の表示状態を表わす前記メモリ回路１６に記憶した画像データを、内部に備えた判断回路に応じて各有機ＥＬ素子２１の輝度階調を表わすマトリクスデータに変換する。
【００５５】
マトリクスデータは、１行分の画素回路群を選択するために前記第１及び第２走査信号ＳＣ１１〜ＳＣｎ１，ＳＣ１２〜ＳＣｎ２を出力する走査線Ｙ１〜Ｙｎ（第１及び第２副走査線）を指定するための走査線制御信号ＣＴＳを含む。
【００５６】
又、マトリクスデータは、選択された画素回路群の有機ＥＬ素子２１の輝度を設定するための前記データ電流Ｉｄａｔａを決定するデータ線制御信号ＣＴＤを含む。このとき、制御回路１５は、画像データに基づいて選択された走査線上の各画素回路２０のうち、有機ＥＬ素子２１を「４」〜「６４」の階調で発光させる画素回路２０と、有機ＥＬ素子２１を「１」〜「３」の階調で発光させる画素回路２０がどれかを判断する。
【００５７】
そして、有機ＥＬ素子２１を「４」〜「６４」の階調で発光させる画素回路２０の場合、制御回路１５は、その画素回路２０については画像データに基づくデータ電流Ｉｄａｔａとして決定するデータ線制御信号ＣＴＤを出力する。従って、「４」〜「６４」の階調で発光させる画素回路２０にデータ電流Ｉｄａｔａを供給する単一ライン駆動回路３０のデータ電流生成回路３０ａは、各階調に応じたデータ電流Ｉｄａｔａを生成して出力するように制御回路１５にて制御される。さらにこのとき、制御回路１５は、各階調に応じたデータ電流Ｉｄａｔａを供給した状態で、前記期間Ｔｂにおいて最初に出力される第１副走査信号から最後の第２副走査信号が出力されるまで期間を発光期間ＴＨとなるように、制御電圧生成回路３０ｂを制御する。制御回路１５は、当該画素回路２０にデータ電流Ｉｄａｔａを供給する直前に出力される第２走査信号に同期してＨレベルの制御電圧Ｘｇｐを生成し出力し、それ以外はＬレベルの制御電圧Ｘｇｐを生成し出力するよう制御している。
【００５８】
一方、有機ＥＬ素子２１を「１」〜「３」の階調（低階調）で発光させる画素回路２０の場合、制御回路１５は、その画素回路２０については画像データに基づくデータ電流Ｉｄａｔａではなく、予め定めた固定値をデータ電流Ｉｄａｔａとして決定するデータ線制御信号ＣＴＤを出力する。なお、本実施形態では、予め定めた固定値をデータ電流Ｉｄａｔａを、「４」の階調で発光させる際のデータ電流Ｉｄａｔａと同じ値にしている。従って、「１」〜「３」の階調（低階調）で発光させる画素回路２０にデータ電流Ｉｄａｔａを供給する単一ライン駆動回路３０のデータ電流生成回路３０ａは、「４」の階調で発光させる際のデータ電流Ｉｄａｔａを生成して出力するように制御回路１５にて制御される。さらにこのとき、制御回路１５は、「４」の階調で発光させる際のデータ電流Ｉｄａｔａを供給した状態で、「１」〜「３」の階調（低階調）で表現するために発光期間を変更させるために制御電圧生成回路３０ｂを制御する。つまり、次の画像データ（フレーム）に基づくデータ電流Ｉｄａｔａが供給されるまでの、各期間Ｔｂを適宜選択しその選択した期間Ｔｂにおいて前記第２走査信号に同期してＨレベルの制御電圧Ｘｇｐを供給することによって、前記発光期間を変更するようにしている。
【００５９】
そして、本実施形態では、「３」の階調の場合は、発光を開始してから（３／４）ＴＨ期間、「２」の階調の場合は、発光を開始してから（２／４）ＴＨ期間、「１」の階調の場合は、発光を開始してから（１／４）ＴＨ期間といったように、階調に応じて発光期間を短くしている。
【００６０】
ちなみに、「２」の階調の場合は、発光を開始してから（２／４）ＴＨ期間である。従って、制御回路１５は、制御電圧生成回路３０ｂに対して、発光を開始して半分の走査線が選択された時点で発生する期間Ｔｂから後の全て期間Ｔｂにおいて出力する第２副走査信号に同期してＨレベルの制御電圧Ｘｇｐが出力されるように制御される。このように、「１」〜「３」の階調を表現する低階調モードの場合、データ線Ｘ１〜Ｘｍに比較的大きな値である「４」の階調のデータ電流Ｉｄａｔａを流し、発光期間を短く制御することによって表現することができる。
【００６１】
そして、走査線制御信号ＣＴＳは、走査線駆動回路１３に供給され、又、データ線制御信号ＣＴＤは、データ線駆動回路１２に供給される。
さらに、制御回路１５は、走査線Ｙ１〜Ｙｎとデータ線Ｘ１〜Ｘｍの駆動タイミング制御を行うとともに、前記単一ライン駆動回路３０の第１及び第２スイッチＱ１１，Ｑ１２のオン・オフ制御を行う第１及び第２のゲート信号Ｇ１、Ｇ２を出力する。つまり、制御回路１５は、第１走査信号ＳＣ１１〜ＳＣｎ１に同期して第１のゲート信号Ｇ１を出力する。また、制御回路１５は、第２走査信号ＳＣ１２〜ＳＣｎ２に同期して第２のゲート信号Ｇ２を出力する。
【００６２】
次に、上記のように構成した有機ＥＬディスプレイ１０の作用を制御回路１５の走査線の選択動作に従って説明する。尚、説明を容易にするために、図４に示すように、４本の走査線Ｙ１〜Ｙ４、３本のデータ線Ｘ１〜Ｘ３からなる有機ＥＬディスプレイ１０を例にして説明する。従って、各走査線に接続される一連の画素回路２０はそれぞれ３個ずつとなる。さらに理解を容易にするために、画像データに基づいて、走査線Ｙ１とデータ線Ｘ２に接続された画素回路２０を「１」の階調に、走査線Ｙ２とデータ線Ｘ１に接続された画素回路２０を「２」の階調に、走査線Ｙ３とデータ線Ｘ３に接続された画素回路２０を「３」の階調に制御する場合について説明する。その他の画素回路２０は「４」以上の階調で制御するものとする。
【００６３】
そして、図５は、４本の走査線Ｙ１〜Ｙ４（第１及び第２副走査線）に出力される第１走査信号ＳＣ１１〜ＳＣ４１、第２走査信号ＳＣ１２〜ＳＣ４２、第１及び第２のゲート信号Ｇ１，Ｇ２のタイミングチャートを示す。
【００６４】
［第１走査信号ＳＣ１１〜ＳＣ４１に基づく動作］
先ず、Ｌレベルの第１走査信号ＳＣ１１〜ＳＣ４１がそれぞれのタイミングで期間Ｔａだけ出力されているときの作用を説明する。
【００６５】
１．第１走査信号ＳＣ１１が出力されている期間Ｔａ
走査線駆動回路１３から走査線Ｙ１（第１副走査線Ｙ１１）にＬレベルの第１走査信号ＳＣ１１が期間Ｔａ出力される。走査線Ｙ１（第１副走査線Ｙ１１）に接続された３個の画素回路２０の第１及び第２スイッチングトランジスタＱｓｗ１，Ｑｓｗ２がオンされる。これと同時に、制御回路１５からデータ線駆動回路１２の各単一ライン駆動回路３０に第１のゲート信号Ｇ１がそれぞれ出力され第１スイッチＱ１１をオンさせる。第１スイッチＱ１１のオンに応答して、各単一ライン駆動回路３０は、データ電流生成回路３０ａから制御回路１５からのデータ線制御信号ＣＴＤに基づくデータ電流Ｉｄａｔａをそれぞれ出力する。
【００６６】
このとき、走査線Ｙ１に接続された３個の画素回路２０のうち、データ線Ｘ２に接続された画素回路２０が「１」の階調で、他に２つの画素回路２０が「４」以上の階調で制御される。そして、データ線Ｘ１とデータ線Ｘ３のデータ電流生成回路３０ａは、データ線制御信号ＣＴＤに基づいて階調に応じたデータ電流Ｉｄａｔａを生成しそれぞれのデータ線Ｘ１，Ｘ３に出力する。一方、データ線Ｘ２のデータ電流生成回路３０ａは、低階調である「１」の階調であるので、「４」の階調に相当するデータ電流Ｉｄａｔａを生成しデータ線Ｘ２に出力する。
【００６７】
従って、走査線Ｙ１に接続された３個の画素回路２０のうち、データ線Ｘ１，Ｘ３に接続された画素回路２０には階調に応じたデータ電流Ｉｄａｔａがそれぞれ供給され、データ線Ｘ２に接続された画素回路２０には、「４」の階調に相当したデータ電流Ｉｄａｔａが供給される。その結果、各画素回路２０の保持キャパシタＣ１には、それぞれデータ電流Ｉｄａｔａに応じた電荷量が供給され、その電荷量に応じた電圧が駆動トランジスタＱｄのゲートに印加される。
【００６８】
期間Ｔａが経過し第１走査信号ＳＣ１１及び第１のゲート信号Ｇ１がＨレベルになると、各単一ライン駆動回路３０のデータ電流生成回路３０ａからのデータ電流Ｉｄａｔａの供給が遮断される。このとき、第１及び第２スイッチングトランジスタＱｓｗ１，Ｑｓｗ２がオフされることにより、各保持キャパシタＣ１にはデータ電流Ｉｄａｔａに応じた電荷量が保持され、その電荷量に応じた電圧を駆動トランジスタＱｄのゲートに印加し続ける。
【００６９】
２．第１走査信号ＳＣ２１が出力されている期間Ｔａ
走査線Ｙ１の第１副走査線Ｙ１１に第１走査信号ＳＣ１１がＨレベルになって期間Ｔｂが経過すると、走査線Ｙ２の第１副走査線Ｙ２１に第１走査信号ＳＣ２１が期間Ｔａ出力される。走査線Ｙ２（第１副走査線Ｙ２１）に接続された３個の画素回路２０は、前記走査線Ｙ１の画素回路２０と同様に制御される。
【００７０】
このとき、走査線Ｙ２に接続された３個の画素回路２０のうち、データ線Ｘ１に接続された画素回路２０だけが「２」の階調なので、データ電流生成回路３０ａは「４」の階調に相当するデータ電流Ｉｄａｔａを生成しそれぞれのデータ線Ｘ２に出力する。他に２つの画素回路２０は「４」以上の階調なので、データ電流生成回路３０ａは階調に応じたデータ電流Ｉｄａｔａを生成しそれぞれのデータ線Ｘ２，Ｘ３に出力する。
【００７１】
従って、走査線Ｙ２に接続された３個の画素回路２０のうち、データ線Ｘ２，Ｘ３に接続された画素回路２０には階調に応じたデータ電流Ｉｄａｔａがそれぞれ供給され、データ線Ｘ１に接続された画素回路２０には、「４」階調に相当したデータ電流Ｉｄａｔａが供給される。そして、各画素回路２０の保持キャパシタＣ１には、それぞれデータ電流Ｉｄａｔａに応じた電荷量が供給され、その電荷量に応じた電圧が駆動トランジスタＱｄのゲートに印加される。
【００７２】
期間Ｔａが経過し第１走査信号ＳＣ２１及び第１のゲート信号がＨレベルになると、各データ電流生成回路３０ａからのデータ電流Ｉｄａｔａの供給が遮断される。このとき、前記と同様に、各保持キャパシタＣ１にはデータ電流Ｉｄａｔａに応じた電荷量が保持され、その電荷量に応じた電圧を駆動トランジスタＱｄのゲートに印加し続ける。
【００７３】
３．第１走査信号ＳＣ３１が出力されている期間Ｔａ
走査線Ｙ２の第１副走査線Ｙ２１に第１走査信号ＳＣ２１がＨレベルになって期間Ｔｂが経過すると、走査線Ｙ３の第１副走査線Ｙ３１に第１走査信号ＳＣ３１が期間Ｔａ出力される。走査線Ｙ３（第１副走査線Ｙ３１）に接続された３個の画素回路２０は、前記走査線Ｙ１，Ｙ２の画素回路２０と同様に制御される。
【００７４】
このとき、走査線Ｙ３に接続された３個の画素回路２０のうち、データ線Ｘ３に接続された画素回路２０だけが「３」の階調なので、データ電流生成回路３０ａは「４」の階調に相当するデータ電流Ｉｄａｔａを生成しそれぞれのデータ線Ｘ３に出力する。他に２つの画素回路２０は「４」以上の階調なので、データ電流生成回路３０ａは階調に応じたデータ電流Ｉｄａｔａを生成しそれぞれのデータ線Ｘ１，Ｘ２に出力する。
【００７５】
従って、走査線Ｙ３に接続された３個の画素回路２０のうち、データ線Ｘ１，Ｘ２に接続された画素回路２０には階調に応じたデータ電流Ｉｄａｔａがそれぞれ供給され、データ線Ｘ３に接続された画素回路２０には、「４」階調に相当したデータ電流Ｉｄａｔａが供給される。そして、各画素回路２０の保持キャパシタＣ１には、それぞれデータ電流Ｉｄａｔａに応じた電荷量が供給され、その電荷量に応じた電圧が駆動トランジスタＱｄのゲートに印加される。
【００７６】
期間Ｔａが経過し第１走査信号ＳＣ２１及び第１のゲート信号Ｇ１がＨレベルになると、各データ電流生成回路３０ａからのデータ電流Ｉｄａｔａの供給が遮断される。このとき、前記と同様に、各保持キャパシタＣ１にはデータ電流Ｉｄａｔａに応じた電荷量が保持され、その電荷量に応じた電圧を駆動トランジスタＱｄのゲートに印加し続ける。
【００７７】
４．第１走査信号ＳＣ４１が出力されている期間Ｔａ
走査線Ｙ３の第１副走査線Ｙ３１に第１走査信号ＳＣ３１がＨレベルになって期間Ｔｂが経過すると、走査線Ｙ４の第１副走査線Ｙ４１に第１走査信号ＳＣ４１が期間Ｔａ出力される。走査線Ｙ３（第１副走査線Ｙ３１）に接続された３個の画素回路２０は、前記走査線Ｙ１，Ｙ２の画素回路２０と同様に制御される。
【００７８】
このとき、走査線Ｙ４に接続された３個の画素回路２０が「４」以上の階調なので、データ電流生成回路３０ａは階調に応じたデータ電流Ｉｄａｔａを生成しそれぞれのデータ線Ｘ１〜Ｘ３に出力する。
【００７９】
従って、走査線Ｙ３に接続された３個の画素回路２０には、階調に応じたデータ電流Ｉｄａｔａがそれぞれデータ線Ｘ１〜Ｘ３を介して供給される。そして、各画素回路２０の保持キャパシタＣ１には、それぞれデータ電流Ｉｄａｔａに応じた電荷量が供給され、その電荷量に応じた電圧が駆動トランジスタＱｄのゲートに印加される。
【００８０】
期間Ｔａが経過し第１走査信号ＳＣ２１及び第１のゲート信号Ｇ１がＨレベルになると、各データ電流生成回路３０ａからのデータ電流Ｉｄａｔａの供給が遮断される。このとき、前記と同様に、各保持キャパシタＣ１にはデータ電流Ｉｄａｔａに応じた電荷量が保持され、その電荷量に応じた電圧を駆動トランジスタＱｄのゲートに印加し続ける。
【００８１】
［第２走査信号ＳＣ１２〜ＳＣ４２に基づく動作］
次に、各第１走査信号ＳＣ１１〜ＳＣ４１が順番に出力される際、次の信号が出力されるまでの各期間Ｔｂに出力される第２走査信号ＳＣ１２〜ＳＣ４２に基づく作用を説明する。
【００８２】
１．第１走査信号ＳＣ１１と走査信号ＳＣ２１との間の期間Ｔｂ
第１走査信号ＳＣ１１がＨレベルになると、第１のゲート信号Ｇ１もＨレベルとなる。そして、次の走査線Ｙ２（第１副走査線Ｙ２１）にＬレベルの第１走査信号ＳＣ２１が出力される間の期間Ｔｂに各走査線Ｙ１〜Ｙ４の第２副走査線Ｙ１２〜Ｙ４２に対して第２走査信号ＳＣ１２〜ＳＣ４２が予め定めた順番に出力される。即ち、この場合、第２走査信号ＳＣ１２→第２走査信号ＳＣ４２→第２走査信号ＳＣ３２→第２走査信号ＳＣ２２の順で出力される。
【００８３】
（１）走査線Ｙ１の第２走査信号ＳＣ１２
まず、走査線Ｙ１（第２副走査線Ｙ１２）にＬレベルの第２走査信号ＳＣ１２が期間Ｔｃ出力される。これと同時に、Ｌレベルの第２のゲート信号Ｇ２が期間Ｔｃ出力される。Ｌレベルの第２走査信号ＳＣ１２によって、走査線Ｙ１に接続された３個の画素回路２０の階調制御用トランジスタＱｃｔをオンさせる。このとき、Ｌレベルの第２のゲート信号Ｇ２に応答して各単一ライン駆動回路３０の制御電圧生成回路３０ｂからの制御電圧Ｘｇｐがそれぞれデータ線Ｘ１〜Ｘ３を介して前記選択されている画素回路２０に供給される。そして、これら制御電圧Ｘｇｐは階調制御用トランジスタＱｃｔを介して階調制御用キャパシタＣ２に供給される。このとき、走査線Ｙ１（第２副走査線Ｙ１２）に対するＬレベルの第２走査信号ＳＣ１２は、発光を開始させるためのものであるため、制御電圧生成回路３０ｂはＬレベルの制御電圧Ｘｇｐを出力する。従って、階調制御用キャパシタＣ２に蓄積されたＬレベルの制御電圧Ｘｇｐによって開始トランジスタＱｓｔはオンする。開始トランジスタＱｓｔのオンにより、駆動トランジスタＱｄは、オン動作し同トランジスタＱｄのゲートに印加された電圧に応じた電流を有機ＥＬ素子２１に供給する。これにより、走査線Ｙ１に接続された３個の画素回路２０によって駆動される有機ＥＬ素子２１は発光を開始する。このとき、データ線Ｘ２に接続された画素回路２０の有機ＥＬ素子２１は、「１」の階調の輝度で発光する必要があるが、「４」の階調に相当する輝度で発光している。
【００８４】
第２走査信号ＳＣ１２がＬレベルからＨレベルになると、第２のゲート信号Ｇ２も一旦ＬレベルからＨレベルになる。第２走査信号ＳＣ１２がＨレベルになって階調制御用トランジスタＱｃｔがオフさせると、階調制御用キャパシタＣ２にはＬレベルの制御電圧Ｘｇｐが保持されるため、開始トランジスタＱｓｔはオンし続ける。すなわち、有機ＥＬ素子２１は発光し続ける。
【００８５】
（２）走査線Ｙ４の第２走査信号ＳＣ４２
第２走査信号ＳＣ１２がＨレベルになった後、走査線Ｙ４（第２副走査線Ｙ４２）にＬレベルの第２走査信号ＳＣ４２が期間Ｔｃ出力される。これと同時に、再びＬレベルの第２のゲート信号Ｇ２が期間Ｔｃ出力される。Ｌレベルの第２走査信号ＳＣ４２によって、走査線Ｙ４に接続された３個の画素回路２０の階調制御用トランジスタＱｃｔをオンさせる。
【００８６】
このとき、Ｌレベルの第２のゲート信号Ｇ２に応答して各単一ライン駆動回路３０の制御電圧生成回路３０ｂからの制御電圧Ｘｇｐがそれぞれデータ線Ｘ１〜Ｘ３を介して前記選択されている画素回路２０に供給される。そして、これら制御電圧Ｘｇｐは階調制御用トランジスタＱｃｔを介して階調制御用キャパシタＣ２に供給される。このとき、走査線Ｙ４に接続された各画素回路２０に対するデータ電流Ｉｄａｔａの供給は行なわれておらず、発光してないので、制御電圧生成回路３０ｂはＨレベルの制御電圧Ｘｇｐを出力する。従って、階調制御用キャパシタＣ２に蓄積されたＨレベルの制御電圧Ｘｇｐによって開始トランジスタＱｓｔはオフしている。開始トランジスタＱｓｔのオフにより、駆動トランジスタＱｄは、オフ状態にあり有機ＥＬ素子２１を発光させない。
【００８７】
第２走査信号ＳＣ４２がＬレベルからＨレベルになると、第２のゲート信号Ｇ２も一旦ＬレベルからＨレベルになる。第２走査信号ＳＣ４２がＨレベルになって階調制御用トランジスタＱｃｔがオフさせると、階調制御用キャパシタＣ２にはＨレベルの制御電圧Ｘｇｐが保持されるため、開始トランジスタＱｓｔはオフし続ける。
【００８８】
（３）走査線Ｙ３の第２走査信号ＳＣ３２
次に、走査線Ｙ３の第２走査信号ＳＣ３２が出力されたとき、走査線Ｙ３の各画素回路２０は、同様に各画素回路２０に対するデータ電流Ｉｄａｔａの供給は行なわれておらず発光してないので、走査線Ｙ４の各画素回路２０と同様に制御される。
【００８９】
（４）走査線Ｙ２の第２走査信号ＳＣ２２
また、走査線Ｙ２の第２走査信号ＳＣ２２がそれぞれ出力されたとき、走査線Ｙ２の各画素回路２０は、同様に各画素回路２０に対するデータ電流Ｉｄａｔａの供給は行なわれておらず発光してないので、走査線Ｙ４の各画素回路２０と同様に制御される。
【００９０】
２．第１走査信号ＳＣ２１と走査信号ＳＣ３１との間の期間Ｔｂ
第１走査信号ＳＣ２１がＨレベルになると、第１のゲート信号Ｇ１もＨレベルとなる。そして、次の走査線Ｙ３（第１副走査線Ｙ３１）にＬレベルの第１走査信号ＳＣ３１が出力される間の期間Ｔｂに各走査線Ｙ１〜Ｙ４の第２副走査線Ｙ１２〜Ｙ４２に対して第２走査信号ＳＣ１２〜ＳＣ４２が予め定めた順番に出力される。即ち、この場合、第２走査信号ＳＣ２２→第２走査信号ＳＣ１２→第２走査信号ＳＣ４２→第２走査信号ＳＣ３２の順で出力される。
【００９１】
（１）走査線Ｙ２の第２走査信号ＳＣ２２
まず、走査線Ｙ２（第２副走査線Ｙ２２）にＬレベルの第２走査信号ＳＣ２２が期間Ｔｃ出力される。これと同時に、Ｌレベルの第２のゲート信号Ｇ２が期間Ｔｃ出力される。Ｌレベルの第２走査信号ＳＣ２２によって、走査線Ｙ２に接続された３個の画素回路２０の階調制御用トランジスタＱｃｔをオンさせる。このとき、Ｌレベルの第２のゲート信号Ｇ２に応答して各制御電圧生成回路３０ｂからの制御電圧Ｘｇｐがそれぞれデータ線Ｘ１〜Ｘ３を介して前記選択されている画素回路２０に供給される。そして、これら制御電圧Ｘｇｐは階調制御用トランジスタＱｃｔを介して階調制御用キャパシタＣ２に供給される。
【００９２】
このとき、走査線Ｙ２（第２副走査線Ｙ２２）に対するＬレベルの第２走査信号ＳＣ２２は、発光を開始させるためのものであるため、制御電圧生成回路３０ｂはＬレベルの制御電圧Ｘｇｐを出力する。従って、階調制御用キャパシタＣ２に蓄積されたＬレベルの制御電圧Ｘｇｐによって開始トランジスタＱｓｔはオンする。開始トランジスタＱｓｔのオンにより、駆動トランジスタＱｄは、オン動作し同トランジスタＱｄのゲートに印加された電圧に応じた電流を有機ＥＬ素子２１に供給する。これにより、走査線Ｙ２に接続された３個の画素回路２０によって駆動される有機ＥＬ素子２１は発光を開始する。このとき、データ線Ｘ１に接続された画素回路２０の有機ＥＬ素子２１は、「２」の階調の輝度で発光する必要があるが、「４」の階調に相当する輝度で発光している。
【００９３】
第２走査信号ＳＣ２２がＬレベルからＨレベルになると、第２のゲート信号Ｇ２も一旦ＬレベルからＨレベルになる。第２走査信号ＳＣ２２がＨレベルになって階調制御用トランジスタＱｃｔがオフさせると、階調制御用キャパシタＣ２にはＬレベルの制御電圧Ｘｇｐが保持されるため、開始トランジスタＱｓｔはオンし続ける。すなわち、有機ＥＬ素子２１は発光し続ける。
【００９４】
（２）走査線Ｙ１の第２走査信号ＳＣ１２
第２走査信号ＳＣ２２がＬレベルになった後、走査線Ｙ１（第２副走査線Ｙ１２）にＬレベルの第２走査信号ＳＣ１２が期間Ｔｃ出力される。これと同時に、再びＬレベルの第２のゲート信号Ｇ２が期間Ｔｃ出力される。Ｌレベルの第２走査信号ＳＣ１２によって、走査線Ｙ１に接続された３個の画素回路２０の階調制御用トランジスタＱｃｔをオンさせる。
【００９５】
このとき、Ｌレベルの第２のゲート信号Ｇ２に応答して各制御電圧生成回路３０ｂからの制御電圧Ｘｇｐがそれぞれデータ線Ｘ１〜Ｘ３を介して前記選択されている画素回路２０に供給される。そして、これら制御電圧Ｘｇｐは階調制御用トランジスタＱｃｔを介して階調制御用キャパシタＣ２に供給される。このとき、走査線Ｙ１に接続された各画素回路２０のうち、データ線Ｘ１，Ｘ３に接続された画素回路２０は、「４」以上の階調である。そのため、データ線Ｘ１，Ｘ３に接続される制御電圧生成回路３０ｂはＬレベルの制御電圧Ｘｇｐを出力する。従って、階調制御用キャパシタＣ２はＬレベルの制御電圧Ｘｇｐを蓄積保持するため、開始トランジスタＱｓｔはオンしたままである。従って、駆動トランジスタＱｄは、オン状態を維持し電流を有機ＥＬ素子２１に供給するため、有機ＥＬ素子２１は発光を維持する。
【００９６】
一方、走査線Ｙ１に接続された各画素回路２０のうち、データ線Ｘ２に接続された画素回路２０は、「１」の階調である。そのため、データ線Ｘ２に接続される制御電圧生成回路３０ｂはＨレベルの制御電圧Ｘｇｐを出力する。従って、階調制御用キャパシタＣ２はＨレベルの制御電圧Ｘｇｐを蓄積保持するため、開始トランジスタＱｓｔはオン状態からオフ状態になる。従って、駆動トランジスタＱｄは、オン状態からオフ状態となり、有機ＥＬ素子２１の発光を停止させる。
【００９７】
従って、走査線Ｙ１に接続された各画素回路２０のうち、データ線Ｘ２に接続された画素回路２０の有機ＥＬ素子２１がこの時点で発光を停止する。つまり、「１」の階調で表現する画素回路２０の有機ＥＬ素子２１であって、「４」の階調に相当するデータ電流Ｉｄａｔａに基づいて発光している有機ＥＬ素子２１を短時間（＝Ｔｂ＋Ｔａ）で発光停止させている。
【００９８】
第２走査信号ＳＣ１２がＬレベルからＨレベルになると、第２のゲート信号Ｇ２も一旦ＬレベルからＨレベルになる。第２走査信号ＳＣ１２がＨレベルになって階調制御用トランジスタＱｃｔがオフする。このとき、有機ＥＬ素子２１を発光停止させた画素回路２０の階調制御用キャパシタＣ２にはＨレベルの制御電圧Ｘｇｐが保持されるため、開始トランジスタＱｓｔはオフし続け、有機ＥＬ素子２１を発光停止させ続ける。一方、有機ＥＬ素子２１を発光し続ける画素回路２０の階調制御用キャパシタＣ２にはＬレベルの制御電圧Ｘｇｐが保持されるため、開始トランジスタＱｓｔはオンし続け、有機ＥＬ素子２１を発光させ続ける。
【００９９】
（３）走査線Ｙ４の第２走査信号ＳＣ４２
第２走査信号ＳＣ１２がＨレベルになった後、走査線Ｙ４（第２副走査線Ｙ４２）にＬレベルの第２走査信号ＳＣ４２が期間Ｔｃ出力される。これと同時に、再びＬレベルの第２のゲート信号Ｇ２が期間Ｔｃ出力される。Ｌレベルの第２走査信号ＳＣ４２によって、走査線Ｙ４に接続された３個の画素回路２０の階調制御用トランジスタＱｃｔをオンさせる。
【０１００】
このとき、走査線Ｙ４に接続された各画素回路２０に対するデータ電流Ｉｄａｔａの供給は行なわれておらず、発光してないので、制御電圧生成回路３０ｂはＨレベルの制御電圧Ｘｇｐを出力する。従って、階調制御用キャパシタＣ２に蓄積されたＨレベルの制御電圧Ｘｇｐによって開始トランジスタＱｓｔはオフしている。開始トランジスタＱｓｔのオフにより、駆動トランジスタＱｄは、オフ状態にあり有機ＥＬ素子２１を発光させない。
【０１０１】
第２走査信号ＳＣ４２がＬレベルからＨレベルになると、第２のゲート信号Ｇ２も一旦ＬレベルからＨレベルになる。第２走査信号ＳＣ４２がＨレベルになって階調制御用トランジスタＱｃｔがオフさせると、階調制御用キャパシタＣ２にはＨレベルの制御電圧Ｘｇｐが保持されるため、開始トランジスタＱｓｔはオフし続ける。
【０１０２】
（４）走査線Ｙ３の第２走査信号ＳＣ３２
次に、走査線Ｙ３の第２走査信号ＳＣ３２が出力されたとき、走査線Ｙ３の各画素回路２０は、同様に各画素回路２０に対するデータ電流Ｉｄａｔａの供給は行なわれておらず発光してないので、走査線Ｙ４の各画素回路２０と同様に制御される。
【０１０３】
３．第１走査信号ＳＣ３１と走査信号ＳＣ４１との間の期間Ｔｂ
第１走査信号ＳＣ３１がＨレベルになると、第１のゲート信号もＨレベルとなる。そして、次の走査線Ｙ４（第１副走査線Ｙ４１）にＬレベルの第１走査信号ＳＣ４１が出力される間の期間Ｔｂに、各走査線Ｙ１〜Ｙ４の第２副走査線Ｙ１２〜Ｙ４２に対して第２走査信号ＳＣ１２〜ＳＣ４２が予め定めた順番に出力される。即ち、この場合、第２走査信号ＳＣ３２→第２走査信号ＳＣ２２→第２走査信号ＳＣ１２→第２走査信号ＳＣ４２の順で出力される。
【０１０４】
（１）走査線Ｙ３の第２走査信号ＳＣ３２
走査線Ｙ３（第２副走査線Ｙ３２）にＬレベルの第２走査信号ＳＣ３２が期間Ｔｃ出力される。これと同時に、Ｌレベルの第２のゲート信号Ｇ２が期間Ｔｃ出力される。このとき、走査線Ｙ３（第２副走査線Ｙ３２）に対するＬレベルの第２走査信号ＳＣ３２は、発光を開始させるためのものであるため、前記と同様に、制御電圧生成回路３０ｂはＬレベルの制御電圧Ｘｇｐを出力する。そして、前記と同様に、走査線Ｙ３に接続された３個の画素回路２０によって駆動される有機ＥＬ素子２１は発光を開始する。このとき、データ線Ｘ３に接続された画素回路２０の有機ＥＬ素子２１は、「３」の階調の輝度で発光する必要があるが、「４」の階調に相当する輝度で発光している。
【０１０５】
第２走査信号ＳＣ３２がＬレベルからＨレベルになると、第２のゲート信号Ｇ２も一旦ＬレベルからＨレベルになる。第２走査信号ＳＣ３２がＨレベルになって階調制御用トランジスタＱｃｔがオフさせると、階調制御用キャパシタＣ２にはＬレベルの制御電圧Ｘｇｐが保持されるため、前記と同様に、有機ＥＬ素子２１は発光し続ける。
【０１０６】
（２）走査線Ｙ２の第２走査信号ＳＣ２２
第２走査信号ＳＣ３２がＨレベルになった後、走査線Ｙ２（第２副走査線Ｙ２２）にＬレベルの第２走査信号ＳＣ２２が期間Ｔｃ出力される。これと同時に、再びＬレベルの第２のゲート信号Ｇ２が期間Ｔｃ出力される。Ｌレベルの第２走査信号ＳＣ２２によって、走査線Ｙ２に接続された３個の画素回路２０の階調制御用トランジスタＱｃｔをオンさせる。
【０１０７】
このとき、走査線Ｙ２に接続された各画素回路２０のうち、データ線Ｘ２，Ｘ３に接続された画素回路２０は、「４」以上の階調である。そのため、データ線Ｘ２，Ｘ３に接続される制御電圧生成回路３０ｂはＬレベルの制御電圧Ｘｇｐを出力する。従って、前記と同様に、有機ＥＬ素子２１は発光を維持する。
【０１０８】
一方、走査線Ｙ２に接続された各画素回路２０のうち、データ線Ｘ１に接続された画素回路２０は、「２」の階調であり、まだ有機ＥＬ素子２１を発光させる必要があるため、データ線Ｘ１に接続される制御電圧生成回路３０ｂはＬレベルの制御電圧Ｘｇｐを出力する。従って、データ線Ｘ１に接続された画素回路２０の有機ＥＬ素子２１は発光を維持する。
【０１０９】
（３）走査線Ｙ１の第２走査信号ＳＣ１２
第２走査信号ＳＣ２２がＨレベルになった後、走査線Ｙ１（第２副走査線Ｙ１２）にＬレベルの第２走査信号ＳＣ１２が期間Ｔｃ出力される。これと同時に、再びＬレベルの第２のゲート信号Ｇ２が期間Ｔｃ出力される。Ｌレベルの第２走査信号ＳＣ１２によって、走査線Ｙ１に接続された３個の画素回路２０の階調制御用トランジスタＱｃｔをオンさせる。
【０１１０】
このとき、走査線Ｙ１に接続された各画素回路２０のうち、データ線Ｘ１，Ｘ３に接続された画素回路２０は、「４」以上の階調である。そのため、データ線Ｘ１，Ｘ３に接続される制御電圧生成回路３０ｂはＬレベルの制御電圧Ｘｇｐを出力する。従って、前記と同様に、有機ＥＬ素子２１は発光を維持する。
【０１１１】
一方、走査線Ｙ１に接続された各画素回路２０のうち、データ線Ｘ２に接続された画素回路２０の有機ＥＬ素子２１は発光を停止しているため、データ線Ｘ２に接続される制御電圧生成回路３０ｂはＨレベルの制御電圧Ｘｇｐを出力する。従って、有機ＥＬ素子２１は発光停止し続ける。
【０１１２】
第２走査信号ＳＣ１２がＬレベルからＨレベルになると、第２のゲート信号Ｇ２も一旦ＬレベルからＨレベルになる。このとき、有機ＥＬ素子２１を発光停止させた画素回路２０の階調制御用キャパシタＣ２にはＨレベルの制御電圧Ｘｇｐが保持されるため、有機ＥＬ素子２１は発光停止し続ける。一方、有機ＥＬ素子２１を発光し続ける画素回路２０の階調制御用キャパシタＣ２にはＬレベルの制御電圧Ｘｇｐが保持されるため、有機ＥＬ素子２１は発光し続ける。
【０１１３】
（４）走査線Ｙ４の第２走査信号ＳＣ４２
第２走査信号ＳＣ１２がＨレベルになった後、走査線Ｙ４（第２副走査線Ｙ４２）にＬレベルの第２走査信号ＳＣ４２が期間Ｔｃ出力される。これと同時に、再びＬレベルの第２のゲート信号Ｇ２が期間Ｔｃ出力される。Ｌレベルの第２走査信号ＳＣ４２によって、走査線Ｙ４に接続された３個の画素回路２０の階調制御用トランジスタＱｃｔをオンさせる。
【０１１４】
このとき、走査線Ｙ４に接続された各画素回路２０に対するデータ電流Ｉｄａｔａの供給は行なわれておらず、発光してないので、前記と同様に、画素回路２０は発光動作を行なわない。
【０１１５】
４．第１走査信号ＳＣ４１と次の１フレームの走査信号ＳＣ１１との間の期間Ｔｂ第１走査信号ＳＣ４１がＨレベルになると、第１のゲート信号Ｇ１もＨレベルとなる。そして、次の新たな画像データの画像を表示するために走査線Ｙ１（第１副走査線Ｙ１１）にＬレベルの第１走査信号ＳＣ１１が出力される間の期間Ｔｂに、各走査線Ｙ１〜Ｙ４の第２副走査線Ｙ１２〜Ｙ４２に対して第２走査信号ＳＣ１２〜ＳＣ４２が予め定めた順番に出力される。即ち、この場合、第２走査信号ＳＣ４２→第２走査信号ＳＣ３２→第２走査信号ＳＣ２２→第２走査信号ＳＣ１２の順で出力される。
【０１１６】
（１）走査線Ｙ４の第２走査信号ＳＣ４２
走査線Ｙ４（第２副走査線Ｙ４２）にＬレベルの第２走査信号ＳＣ４２が期間Ｔｃ出力される。これと同時に、Ｌレベルの第２のゲート信号Ｇ２が期間Ｔｃ出力される。このとき、走査線Ｙ４（第２副走査線Ｙ４２）に対するＬレベルの第２走査信号ＳＣ４２は、発光を開始させるためのものであるため、前記と同様に、制御電圧生成回路３０ｂはＬレベルの制御電圧Ｘｇｐを出力する。そして、前記と同様に、走査線Ｙ４に接続された３個の画素回路２０によって駆動される有機ＥＬ素子２１は発光を開始する。このとき、データ線Ｘ１〜Ｘ３に接続された画素回路２０の有機ＥＬ素子２１は、「４」以上の階調の輝度で発光させるため、階調に応じたデータ電流Ｉｄａｔａに相当する輝度で発光する。
【０１１７】
第２走査信号ＳＣ４２がＬレベルからＨレベルになると、第２のゲート信号Ｇ２も一旦ＬレベルからＨレベルになる。第２走査信号ＳＣ３２がＨレベルになって階調制御用トランジスタＱｃｔがオフさせると、階調制御用キャパシタＣ２にはＬレベルの制御電圧Ｘｇｐが保持されるため、前記と同様に、有機ＥＬ素子２１は発光し続ける。
【０１１８】
（２）走査線Ｙ３の第２走査信号ＳＣ３２
第２走査信号ＳＣ４２がＨレベルになった後、走査線Ｙ３（第２副走査線Ｙ３２）にＬレベルの第２走査信号ＳＣ３２が期間Ｔｃ出力される。これと同時に、再びＬレベルの第２のゲート信号Ｇ２が期間Ｔｃ出力される。Ｌレベルの第２走査信号ＳＣ３２によって、走査線Ｙ３に接続された３個の画素回路２０の階調制御用トランジスタＱｃｔをオンさせる。
【０１１９】
このとき、走査線Ｙ３に接続された各画素回路２０のうち、データ線Ｘ１，Ｘ２に接続された画素回路２０は、「４」以上の階調である。そのため、データ線Ｘ１，Ｘ２に接続される制御電圧生成回路３０ｂはＬレベルの制御電圧Ｘｇｐを出力する。従って、前記と同様に、有機ＥＬ素子２１は発光を維持する。
【０１２０】
一方、走査線Ｙ２に接続された各画素回路２０のうち、データ線Ｘ３に接続された画素回路２０は、「３」の階調であり、まだ有機ＥＬ素子２１を発光させる必要があるため、データ線Ｘ３に接続される制御電圧生成回路３０ｂはＬレベルの制御電圧Ｘｇｐを出力する。従って、データ線Ｘ１に接続された画素回路２０の有機ＥＬ素子２１は発光を維持する。
【０１２１】
（３）走査線Ｙ２の第２走査信号ＳＣ２２
第２走査信号ＳＣ３２がＨレベルになった後、走査線Ｙ２（第２副走査線Ｙ２２）にＬレベルの第２走査信号ＳＣ２２が期間Ｔｃ出力される。これと同時に、再びＬレベルの第２のゲート信号Ｇ２が期間Ｔｃ出力される。Ｌレベルの第２走査信号ＳＣ２２によって、走査線Ｙ２に接続された３個の画素回路２０の階調制御用トランジスタＱｃｔをオンさせる。
【０１２２】
このとき、Ｌレベルの第２のゲート信号Ｇ２に応答して各制御電圧生成回路３０ｂからの制御電圧Ｘｇｐがそれぞれデータ線Ｘ１〜Ｘ３を介して前記選択されている画素回路２０に供給される。このとき、走査線Ｙ３に接続された各画素回路２０のうち、データ線Ｘ２，Ｘ３に接続された画素回路２０は、「４」以上の階調である。そのため、データ線Ｘ２，Ｘ３に接続される制御電圧生成回路３０ｂはＬレベルの制御電圧Ｘｇｐを出力する。従って、前記と同様に、有機ＥＬ素子２１は発光を維持する。
【０１２３】
一方、走査線Ｙ３に接続された各画素回路２０のうち、データ線Ｘ１に接続された画素回路２０は、「２」の階調である。そのため、データ線Ｘ１に接続される制御電圧生成回路３０ｂはＨレベルの制御電圧Ｘｇｐを出力する。従って、駆動トランジスタＱｄは、オン状態からオフ状態となり、有機ＥＬ素子２１の発光を停止させる。
【０１２４】
従って、走査線Ｙ２に接続された各画素回路２０のうち、データ線Ｘ１に接続された画素回路２０の有機ＥＬ素子２１がこの時点で発光を停止する。つまり、「２」の階調で表現する画素回路２０の有機ＥＬ素子２１であって、「４」の階調に相当するデータ電流Ｉｄａｔａに基づいて発光している有機ＥＬ素子２１を短時間（＝２Ｔｂ＋２Ｔａ）で発光停止させている。
【０１２５】
第２走査信号ＳＣ２２がＬレベルからＨレベルになると、第２のゲート信号Ｇ２も一旦ＬレベルからＨレベルになる。第２走査信号ＳＣ２２がＨレベルになって階調制御用トランジスタＱｃｔがオフする。このとき、有機ＥＬ素子２１を発光停止させた画素回路２０は、有機ＥＬ素子２１を発光停止させ続ける。一方、有機ＥＬ素子２１を発光し続ける画素回路２０は、有機ＥＬ素子２１を発光させ続ける。
【０１２６】
（４）走査線Ｙ１の第２走査信号ＳＣ１２
第２走査信号ＳＣ２２がＨレベルになった後、走査線Ｙ１（第２副走査線Ｙ１２）にＬレベルの第２走査信号ＳＣ１２が期間Ｔｃ出力される。これと同時に、再びＬレベルの第２のゲート信号Ｇ２が期間Ｔｃ出力される。Ｌレベルの第２走査信号ＳＣ１２によって、走査線Ｙ１に接続された３個の画素回路２０の階調制御用トランジスタＱｃｔをオンさせる。このとき、走査線Ｙ１に接続された各画素回路２０の有機ＥＬ素子２１を発光停止させるために、データ線Ｘ１〜Ｘ３に接続される制御電圧生成回路３０ｂはＨレベルの制御電圧Ｘｇｐを出力する。従って、前記と同様に、有機ＥＬ素子２１は発光を維持する。
【０１２７】
従って、すでに発光を停止しているデータ線Ｘ２に接続された画素回路２０を除く他の２つの画素回路２０の有機ＥＬ素子２１の発光が停止する。つまり、「４」以上の階調であってその階調にデータ電流Ｉｄａｔａに応じて発光していた有機ＥＬ素子２１は、予め定められ発光期間ＴＨ（＝４Ｔｂ＋３Ｔａ）を発光させていた画素回路２０の発光動作を停止する。
【０１２８】
従って、先に短時間に発光停止したデータ線Ｘ２に接続された画素回路２０の有機ＥＬ素子２１の発光時間は、ほぼ発光期間ＴＨの４分の１となる。従って、該有機ＥＬ素子２１は、その発光時間が発光期間ＴＨの４分の１で、その発光時には「４」の階調に相当するデータ電流Ｉｄａｔａで発光するため、「１」の階調の輝度と等価となる。
【０１２９】
その結果、低階調の輝度を表示する際には、該低階調に相当する小さな値のデータ電流Ｉｄａｔａを供給しないで、大きな階調の相当する大きな値のデータ電流Ｉｄａｔａを供給し発光時間をその画素回路２０だけ短くするだけで低階調の輝度を表示することができる。また、走査線Ｙ２とデータ線Ｘ１とに接続された画素回路２０の「２」の階調で有機ＥＬ素子２１は、その発光時間が発光期間ＴＨの４分の２で、その発光時には「４」の階調に相当するデータ電流Ｉｄａｔａで発光するため、「２」の階調の輝度と等価となる。
【０１３０】
ちなみに、走査線Ｙ３とデータ線Ｘ３とに接続された画素回路２０の「３」の階調で有機ＥＬ素子２１は、次の第１走査信号ＳＣ１１と走査信号ＳＣ２１との間の期間ＴｂにおいてＨレベルの第２走査信号ＳＣ３２が出力された時、発光が停止される。従って、有機ＥＬ素子２１は、その発光時間が発光期間ＴＨの４分の３で、その発光時には「４」の階調に相当するデータ電流Ｉｄａｔａで発光するため、「３」の階調の輝度と等価となる。
【０１３１】
以下、同様に、次の新たな画像データに基づいて各走査線Ｙ１〜Ｙ３に接続された画素回路２０を動作制御し、低階調の画素については「４」の階調に相当するデータ電流Ｉｄａｔａを供給し発光期間を変更させるように画素回路を制御して画像を表示する。
【０１３２】
次に上記のように構成した有機ＥＬディスプレイ１０の特徴を以下に記載する。
（１）本実施形態では、低階調の輝度を表示する際には、該低階調に相当する小さな値のデータ電流Ｉｄａｔａを画素回路２０に供給しないで、大きな階調の相当する大きな値のデータ電流Ｉｄａｔａを供給し、そのデータ電流ｄａｔａに応じた輝度で有機ＥＬ素子２１を発光させる。そして、その発光した有機ＥＬ素子２１の発光時間を、他の高階調の輝度を表示する画素回路の有機ＥＬ素子２１に比べて短くするだけで低階調の輝度を表示することができる。
【０１３３】
つまり、低階調の輝度を表示する場合でも、大きな階調の相当する大きな値のデータ電流Ｉｄａｔａをデータ線Ｘ１〜Ｘｍを介して画素回路２０に供給することができる。従って、データ線Ｘ１〜Ｘｍの配線容量等の影響による表示時間の遅延と表示精度の劣化を防ぐことができ、延いては動画特性の向上を図ることができる。
【０１３４】
（２）本実施形態では、低階調の輝度を表示する場合において、低階調表示の画素回路２０のみ１フレームの中で発光期間を変更するだけなので、時分割階調に比べダイナミックレンジを広くすることができる。
【０１３５】
（３）本実施形態では、データ電流Ｉｄａｔａと制御電圧Ｘｇｐは共に同一のデータ線Ｘ１〜Ｘｍを介してそれぞれの画素回路２０に供給したので、配線数が増加することによって開口率が低減したり回路規模が増大するといったことがない。
【０１３６】
（第２実施形態）
次に、第１実施形態で説明した電気光学装置としての有機ＥＬディスプレイ１０の電子機器の適用について図６に従って説明する。有機ＥＬディスプレイ１０は、モバイル型のパーソナルコンピュータ、携帯電話、デジタルカメラ等種々の電子機器に適用できる。
【０１３７】
図６は、モバイル型パーソナルコンピュータの構成を示す斜視図を示す。図６において、パーソナルコンピュータ６０は、キーボード６１を備え本体部６２と、前記有機ＥＬディスプレイ１０を用いた表示ユニット６３を備えている。この場合でも、有機ＥＬディスプレイ１０を用いた表示ユニット６３は前記各実施形態と同様な効果を発揮する。その結果、パーソナルコンピュータ６０は、高速表示と、十分な表示品位を両立することができる。
【０１３８】
尚、本発明の実施形態は、以下のように変更してもよい。
○前記第１実施形態において、開始トランジスタＱｓｔのゲート電圧を保持するために、保持手段として階調制御用キャパシタＣ２を用いたが、図７に示すように、保持手段としたラッチ回路７０に変更して実施してもよい。尚、図７においては、開始トランジスタＱｓｔをオンさせる場合にはＨレベル、オフさせる場合にはＬレベルの制御電圧Ｘｇｐを制御電圧生成回路３０ｂからラッチ回路７０に出力させる必要がある。
【０１３９】
○前記第１実施形態において、各期間Ｔｂにおいて、第２走査信号ＳＣ１２〜ＳＣｎ２に出力する順番が予め決めて実施したが、これを適宜変更して実施してもよい。
【０１４０】
○前記第１実施形態において、各期間Ｔｂにおいて、第２走査信号ＳＣ１２〜ＳＣｎ２に順番に出力して、全ての第２副走査線Ｙ１２〜Ｙｎ２を選択、即ち全ての走査線Ｙ１〜Ｙｎ上の画素回路２０を選択した。これを、各期間Ｔｂにおいて、その各期間毎に予め定めた１つ又は複数の第２走査信号を出力しないようにする。つまり、各期間Ｔｂにおいて、全ての第２副走査線Ｙ１２〜Ｙｎ２を選択するのではなく、予め定めた第２走査線を間引いて選択走査するようにしてもよい。
【０１４１】
例えば、１垂直期間において、それぞれ第２副走査線Ｙ１２〜Ｙｎ２毎に、選択される期間Ｔｂを、複数予め決めて、決めた期間Ｔｂの時にその第２副走査線を選択させるようにする。この場合、予め定めた複数の期間Ｔｂは、発光の期間を１、２、４…として発光期間に重み付けすることができる期間を選定して実施してもよい。これによって、選択する第２副走査線を各期間Ｔｂにおいて減らすことができる。
【０１４２】
○前記第１実施形態では、データ電流Ｉｄａｔａと制御電圧Ｘｇｐは共に同一のデータ線Ｘ１〜Ｘｍを介してそれぞれの画素回路２０に供給した。これを、データ電流Ｉｄａｔａと制御電圧Ｘｇｐを別々の配線を使って画素回路２０に供給するようにしてもよい。
【０１４３】
○前記各実施形態では、単位回路又は電子回路として画素回路２０に具体化して好適な効果を得たが、有機ＥＬ素子２１以外の例えばＬＥＤやＦＥＤ、電子放出素子、プラズマ素子等の発光素子のような電流駆動素子を駆動する電子回路に具体化してもよい。ＲＡＭ等の記憶装置に具体化してもよい。
【０１４４】
○前記各実施形態では、画素回路２０の電子素子として有機ＥＬ素子２１について具体化したが、無機ＥＬ素子に具体化してもよい。つまり、無機ＥＬ素子からなる無機ＥＬディスプレイに応用しても良い。さらにまた、液晶ディスプレイにも応用してもよく、液晶ディスプレイの動画特性の向上を図ることができる。
【図面の簡単な説明】
【図１】第１実施形態を説明するための有機ＥＬディスプレイの回路構成を示すブロック図。
【図２】同じく表示パネル部の内部回路構成を示すブロック回路図。
【図３】同じく画素回路とデータ線駆動回路の回路構成を示す回路図。
【図４】同じく有機ＥＬディスプレイの動作を説明するための各画素回路の構成を示すブロック回路図。
【図５】同じく各画素回路の動作を説明するためのタイミングチャート。
【図６】第１実施形態の有機ＥＬディスプレイを実装したモバイル型パーソナルコンピュータの構成を示す斜視図。
【図７】画素回路の別例を説明するための回路図。
【符号の説明】
１０  電気光学装置としての有機ＥＬディスプレイ
１１  表示パネル部
１２  データ線駆動回路
１３  走査線駆動回路
１５  制御回路
１６  メモリ回路
２０  単位回路又は電子回路としての画素回路
２１  電子素子としての有機ＥＬ素子
３０  単一ライン駆動回路
３０ａ  データ信号生成回路としてのデータ電流生成回路
３０ｂ  制御信号生成回路としての制御電圧生成回路
６０  電子機器としてのパーソナルコンピュータ
Ｃ１  第１の容量素子としての保持キャパシタ
Ｃ２  保持手段又は第２の容量素子としての階調制御用キャパシタ
Ｑｓｗ１  第１のトランジスタとしての第１スイッチングトランジスタ
Ｑｓｗ２  第１のトランジスタとしての第２スイッチングトランジスタ
Ｑｄ  第２のトランジスタとしての駆動トランジスタ
Ｑｓｔ  第３のトランジスタとしての開始トランジスタ
Ｑｃｔ  第４のトランジスタとしての階調制御用トランジスタ
ＳＣ１１〜ＳＣｎ１  第１走査信号
ＳＣ１２〜ＳＣｎ２  第２走査信号
Ｙ１〜Ｙｎ  走査線
Ｘ１〜Ｘｍ  データ線
Ｙｎ１  第１副走査線
Ｙｎ２  第２副走査線
Ｇ１  第１のゲート信号
Ｇ２  第２のゲート信号
Ｉｄａｔａ  データ信号としてのデータ電流
Ｘｇｐ  制御信号としての制御電圧
Ｌ１  電源線
Ｖｏｅｌ  駆動電圧
【図１】
2004184489.tif 000003
【図２】
2004184489.tif 000004
【図３】
2004184489.tif 000005
【図４】
2004184489.tif 000006
【図５】
2004184489.tif 000007
【図６】
2004184489.tif 000008
【図７】
2004184489.tif 000009